(57)【要約】【課題】  受信レベルが異なる２つの高周波信号の受信レベルを揃える。【解決手段】  衛星放送中間周波信号と、レベルが小さい衛星通信中間周波信号とが、入力端子２に供給される。入力端子２からの両中間周波信号が増幅段３２、３６、４０によって増幅される。入力端子２と増幅段３２との間に設けられた周波数性減衰手段が、受信レベルが大きい衛星放送中間周波信号を減衰させて、増幅段３２に供給する。【選択図】        図１
2009164750.tif 000002
【特許請求の範囲】
【請求項１】
第１の周波数帯の高周波信号と、第１の周波数帯の高周波信号よりもレベルが小さい第２の周波数帯の高周波信号とが、供給される入力端子と、
この入力端子に供給された第１及び第２の高周波信号を増幅する増幅手段と、
前記入力端子と前記増幅手段との間に設けられ、前記第１の周波数帯の高周波信号を減衰させる周波数減衰手段とを、
具備するブースタ。
【請求項２】
請求項１記載のブースタにおいて、前記周波数減衰手段は、第２の周波数帯の高周波信号を通過させ、第１の周波数帯の高周波信号を減衰させるフィルタ手段と、一定の減衰量の減衰手段とを、具備するブースタ。
【発明の詳細な説明】
【技術分野】
【０００１】
本発明は、例えばテレビジョン受信アンテナで受信された高周波信号、例えばテレビジョン放送信号を増幅するブースタに関し、特に、複数の周波数帯の高周波信号を増幅するものに関する。
【背景技術】
【０００２】
従来、複数の周波数帯の高周波信号を増幅するブースタとしては、例えば特許文献１に開示されているようなものがある。特許文献１の技術では、ＣＳ（衛星通信）・ＢＳ（衛星放送）アンテナで受信されたＣＳ信号とＢＳ信号とを、このアンテナに付属するＣＳ用コンバータとＢＳ用コンバータとによってＣＳ中間周波信号とＢＳ中間周波信号とに変換して、ブースタに供給される。ブースタには、ＵＨＦアンテナ及びＶＨＦアンテナで受信されたＵＨＦテレビジョン放送信号及びＶＨＦテレビジョン放送信号も供給される。ブースタは、供給された信号を増幅する。
【０００３】
【特許文献１】特開２０００−３４９６７５号公報
【発明の開示】
【発明が解決しようとする課題】
【０００４】
ところで、ブースタに供給されるＣＳ中間周波信号とＢＳ中間周波信号とでは、レベル差があり、ＣＳ中間周波信号のレベルに比べＢＳ中間周波信号のレベルが大きい。従来、このレベル差を補正するために、ブースタ内に設けられているチルト回路や、ゲインコントロール回路が使用されている。チルト回路は、例えば周波数が増加するに従ってブースタの利得を増加または減少させる機能を有し、ゲインコントロール回路は、周波数特性とは無関係にブースタの利得を調整するので、これら回路だけでは、ブースタの設置時に、ＢＳ中間周波信号とＣＳ中間周波信号とのレベル差を充分に吸収することができなかった。
【０００５】
本発明は、異なる周波数帯の高周波信号のレベル差を解消することが可能なブースタを提供することを目的とする。
【課題を解決するための手段】
【０００６】
本発明の一態様のブースタは、第１の周波数帯の高周波信号と、第１の周波数帯の高周波信号よりもレベルが小さい第２の周波数帯の高周波信号とが、供給される入力端子を有している。例えば第１の周波数帯の高周波信号として、衛星放送中間周波信号を使用することができ、第２の周波数帯の高周波信号として、衛星通信中間周波信号を使用することができる。この入力端子に供給された第１及び第２の高周波信号を増幅手段が増幅する。増幅手段として、複数の増幅段を使用することができる。これら増幅段の間に、チルト手段や、ゲインコントロール手段を設けることも可能である。前記入力端子と前記増幅手段との間に周波数減衰手段が設けられている。この周波数減衰手段が、前記第１の周波数帯の高周波信号を減衰させる。
【０００７】
このように構成されたブースタでは、周波数減衰手段が、レベルが大きい第１の周波数帯の高周波信号を減衰させるので、第１及び第２の周波数帯の高周波信号のレベルをほぼ揃えることができる。
【０００８】
前記周波数減衰手段は、第２の周波数帯の高周波信号を通過させ、第１の周波数帯の高周波信号を減衰させるフィルタ手段を有している。例えばハイパスフィルタとすることができる。この場合、周波数の変化に無関係に一定の減衰量を示す減衰手段も設けられている。フィルタ手段のみの場合、第１の周波数帯内において周波数変化に従って減衰量が変化する。減衰手段を設けることによって、周波数変化に基づく減衰量の変化を解消し、第１の周波数帯全域にわたってほぼ一定の減衰量としている。
【発明の効果】
【０００９】
以上のように、本発明によれば、受信レベルの大きい第１の周波数帯の高周波信号の受信レベルを第２の周波数帯の高周波信号のレベルに容易に揃えることができる。
【発明を実施するための最良の形態】
【００１０】
本発明の１実施形態のブースタは、図１に示すように、入力端子２を有している。この入力端子２には、第１及び第２の高周波信号、例えば衛星放送中間周波信号と、衛星通信中間周波信号とが、供給されている。衛星放送中間周波信号と衛星通信中間周波信号は、例えば東経１１０度の位置に打ち上げられている放送衛星と通信衛星とから送信された衛星放送信号と衛星通信信号とが、１台の衛星放送・衛星通信受信アンテナで受信され、このアンテナに付属するコンバータによって周波数変換されたもので、図示しない同軸ケーブルを介して入力端子２に供給されている。衛星放送中間周波信号と衛星通信中間周波信号とでは、衛星放送中間周波信号の周波数帯（１０３２〜１３３５ＭＨｚ）よりも衛星通信中間周波信号の周波数帯（１５９５〜２０７１ＭＨｚ）の方が高いが、受信レベルは、衛星放送中間周波信号の方が大きい。衛星放送中間周波信号と衛星通信中間周波信号との受信レベルが揃っていることが望ましい。
【００１１】
この入力端子２には、図示していない直流電源から上述したコンバータを駆動するための直流電力が高周波阻止コイル４を介して供給されている。また、入力端子２に供給されている衛星放送中間周波信号と衛星通信中間周波信号とは、直流阻止コンデンサ６を介して、周波数減衰手段、例えば周波数減衰器８に供給されている。
【００１２】
周波数減衰器８は、図２に示すように、入力端子１０と出力端子１２とを有し、これらの間にコンデンサ１４が接続されている。このコンデンサ１４に並列に抵抗器１６が接続されている。また、入力端子１０と基準電位、例えば接地電位との間に直列にコイル１８と抵抗器２０とが接続されている。同様に出力端子１２と接地電位との間に直列にコイル２２と抵抗器２４とが接続されている。
【００１３】
コンデンサ１４とコイル１８、２２とによってπ型のハイパスフィルタが構成され、衛星通信中間周波信号を通過させ、衛星放送中間周波信号を減衰させる周波数特性となるように、コンデンサ１４、コイル１８、２２の値が選択されている。また、抵抗器１６、２０、２４によってπ型の減衰量固定の減衰器が構成されている。この減衰量固定の減衰器は、入力される高周波信号の周波数とは無関係に、一定の減衰量だけ入力される高周波信号を減衰させる。この周波数減衰器８の周波数特性を、図３に示す。この周波数特性から明らかなように、この周波数減衰器８は、衛星放送中間周波信号（ＢＳ−ＩＦ）の周波数帯全域において、約５ｄＢの減衰量を示し、衛星通信中間周波信号（ＣＳ−ＩＦ）の周波数帯全域においてわずかな損失を示しているだけである。
【００１４】
周波数減衰器８の出力信号は、減衰器２６に供給され、所定の減衰量だけ減衰される。この減衰器２６の出力信号は１分岐器２８に供給され、１分岐器２８の分岐出力は、モニタ端子３０に供給される。１分岐器２８の出力信号は、増幅段３２に供給され、ここで増幅された後、チルト回路３４に供給され、ここで周波数特性が調整される。
【００１５】
チルト回路３４の出力信号は、更に増幅段３６によって増幅された後、ゲインコントロール回路３８に供給される。ゲインコントロール回路３８の出力信号は、増幅段４０によって増幅された後、出力端子４２に供給される。
【００１６】
このように構成されたブースタでは、周波数減衰器８を使用している。この周波数減衰器８は、ハイパスフィルタと減衰量固定の減衰器を組み合わせたものである。例えばＬＣ回路によるハイパスフィルタのみを設けた場合、周波数が高くなるに連れて出力レベルが増加し、或る周波数、例えば衛星通信中間周波信号の始端周波数以降の周波数で出力レベルがほぼ一定となる。これでは、衛星通信中間周波信号よりも周波数が低い衛星放送中間周波信号の信号レベルを、その周波数帯全域にわたって一定にすることができない。そこで、ハイパスフィルタに、減衰量固定の減衰器を組み合わせることによって、衛星放送中間周波信号の周波数帯の全域にわたって一定の減衰量としてある。
【００１７】
これによって、衛星放送中間周波信号の受信レベルが衛星通信中間周波信号の受信レベルよりも高いが、両中間周波信号の受信レベルを揃えることができる。なお、入力端子２に衛星放送中間周波信号及び衛星通信中間周波信号が同軸ケーブルによって伝送される間に、両中間周波信号に生じる周波数特性の傾きは、チルト回路３４によって補償される。また、両中間周波信号を所望の出力レベルとするために、減衰器２６及びゲインコントロール回路３８が使用される。従って、上述した両中間周波信号の出力レベルを揃えるためにチルト回路３４及びゲインコントロール回路３８を使用する必要がない。
【００１８】
上記の実施形態では、周波数減衰器８を、π型のハイパスフィルタとπ型の減衰器とを組み合わせて構成したが、Ｔ型のハイパスフィルタとＴ型の減衰器とを組み合わせて構成することもできるし、π型のハイパスフィルタとＴ型の減衰器とを組み合わせても、Ｔ型のハイパスフィルタとπ型の減衰器とを組み合わせても、構成することができる。また、上記の実施形態では、衛星放送中間周波信号と衛星通信中間周波信号とを使用したが、これに限ったものではなく、異なる周波数帯でレベルに差がある２つの高周波信号にも適用することができる。この場合、高い周波数帯の高周波信号の受信レベルが大きい場合、ローパスフィルタと減衰量固定の減衰器とを使用する。また、上記の実施形態では、衛星放送中間周波信号と衛星通信中間周波信号とを増幅するブースタとしたが、上述したブースタの構成に加えて、ＣＡＴＶ信号またはＵＨＦ帯及びＶＨＦ帯のテレビジョン放送信号を増幅する増幅段を設け、この増幅段の出力信号と増幅段４０の出力信号とを混合して、出力端子４２から出力するように構成することもできるし、これに加えて上り信号を増幅する増幅段も追加することもできる。
【図面の簡単な説明】
【００１９】
【図１】本発明の１実施形態のブースタのブロック図である。
【図２】図１のブースタの周波数減衰器の回路図である。
【図３】図２の周波数減衰器の周波数特性図である。
【符号の説明】
【００２０】
２  入力端子
８  周波数減衰器
３２  ３６  ４０  増幅段（増幅手段）
【図１】
2009164750.tif 000003
【図２】
2009164750.tif 000004
【図３】
2009164750.tif 000005